(57)【特許請求の範囲】
【請求項１】
少なくとも靴の踵部の垂直中心線に沿って踵補強部よりアキレス腱のある足首部迄に当接せしめ別体として着脱自在に配設した緊締部材本体と、該緊締部材本体より延設し、ベルト挿通環またはベルト挿通具に挿通し反転折り返し可能で裏面側にそれぞれ縫着した面ファスナ−により係合連結する縦方向連結ベルトおよび横方向連結ベルトよりなる略逆Ｔ字形の緊締部材からなり、前記緊締部材本体に設けたアジャスタ−部と、該アジャスタ−部と連設する縦方向連結ベルトの自由端を踵補強部近傍に設けたベルト挿通環に挿通して折り返しアキレス腱のある足首部迄の高さレベルを調整する第１緊締手段と、横方向連結べルトの自由端は外胛被のアウトカウンタ−部に設けたベルト挿通具に挿通して折り返しアキレス腱のある足首部迄の締め付け状態を調整自在に締縛する第２緊締手段とよりなることを特徴とする足首部緊締部材を備えた靴。
【請求項２】
前記ベルト挿通環を踵補強部の垂直中心線に沿った部位に横幅帯の両端を縫着し該縦方向連結ベルトを挿通する構成とした請求項１記載の足首部緊締部材を備えた靴。
【０００１】
【発明の詳細な説明】
【産業上の利用分野】
本発明は足首部緊締部材を備えた靴に関し、アジャスタ−部の足首部への当接高さレベル、ならびに適宜足首部の締緩状態を調整自在とし、アキレス腱の保護と高いフィット性を達成し得る足首部緊締部材を備えた靴に関する。
【０００２】
【従来の技術】
従来、靴は一般に靴底のソ−ル部と、足の胛皮を覆う胛皮部と、足に対する胛皮部のフィット状態を締緩調整する締め具を備えた構成となっており、特に運動靴では、スピ−ド等の運動機能を促進する為に高いフィット性が要求され、足の甲部ならびに踵部及び足首を固定することが必要である。
【０００３】
【発明が解決しようとする課題】
たとえば、特開平７−１２４００２号公報には、激しい運動走行に対しても確実な靴甲被の締結方法、或いは特開平８−３８２１２号公報には靴紐と緊締ベルトにより締緩を自在とするスポ−ツシュ−ズ等が提案されているが、いずれも靴甲被部の締め付けや装着の為の締め具であり、また、靴の締め具として、ハトメ部の靴紐によるほか、足首固定締め具、捻挫防止用踵締め具等のように、踵部又は足首部のみを固定するものが種々提案されているが、踵部および足首を同時に固定緊締する締め具は存在しなかった。従って、踵部および足首を同時に固定するには緊締の機能の異なる複数の締め具を使用することが必要となり、構成部材が多く嵩張りや突出部等により履用時に外部と接触する不具合や、構造が複雑となり、また重量も増加する等の難点があった。
【０００４】
例えば、特開平６−２１７８０６号公報には、構造を単純化し軽量化を図った靴の締め具が提案されている。しかしながら、踵部および足首部を同時に靴紐で引っ張ることにより高いフィット性が得られても、靴紐を用いた締め具では、アジャスタ−の位置も固定されており、高さレベルを調整できない難点があった。また、特開平６−３０４００３号公報には、靴の踵部分の剛性によって影響を受けず足首部に締着するアキレス腱保護カバ−が提案されているが、保護カバ−は靴紐を用いて締縛しアキレス腱に巻着するが、足首部への当接高さを調整自在とすることは困難であった。
すなわち、従来のいわゆる締め具にあっては、一般に靴紐を使用した締縛形態が主流を占めており、例えば踵部側からの保持に布製ファスナ−を使用したものはあっても高さ調節等格別な締縛機能を備えたものはなく、また靴紐を使用した複雑な締縛機構ではコストも高くカジュアルシュ−ズとしては不適当であった。さらに踵部からアキレス腱のある足首部の保護の為の当て部材の場合も、その高さレベルは略一定で、高さを適宜調整可能で、且つ横向き方向性迄も調節可能ななアキレス腱保護の為の簡易、有用な締め具は存在しなかった。
【０００５】
【課題を解決するための手段】
本発明は、上記問題点を解決するためになされたものであって、少なくとも靴の踵部の垂直中心線に沿って踵補強部よりアキレス腱のある足首部迄に当接せしめて高さレベル調節可能とし別体として着脱自在に配設した緊締部材本体と、該緊締部材本より延設し、ベルト挿通環またはベルト挿通具に挿通し反転折り返し可能で裏面側にそれぞれ縫着した面フアスナ−により係合連結するする縦方向連結ベルトおよび横方向連結ベルトよりなる略Ｔ字型の緊締部材からなり、前記緊締部材本体に設けたアジャスター部と連結する縦方向連結ベルトの自由端を踵補強部近傍に設けたベルト挿通環に挿通して折り返し、足首部迄の高さレベルを調整する第１緊締手段とと横方向連結ベルトの自由端は外胛被のアウトカウンタ−部に設けたベルト挿通具に挿通して折り返し、アキレス腱のある足首部迄の締め付け状態を調整自在に締縛する第２緊締手段とよりなることを特徴とする足首部緊締部材を備えた靴を要旨とするものである。
【０００６】
【発明の実施の形態】
本発明の靴の足首部緊締体は、（１）少なくとも靴の踵補強部からアキレス腱のある足首部迄の靴の外胛被に当接し締縛可能するアジャスタ−部を備え、別体として着脱自在に配設した緊締部材本体、及び該部材本体より延設し略対称位置に面ファスナ−で係合して長さ調整、及び締め付け状態を調整自在に締縛する縦方向連結ベルト、および横方向連結ベルトからなる。（２）該緊締部材本体に設けたアジャスタ−部と連設する縦方向連結ベルトの面ファスナ−による係合離脱操作により靴の踵補強部からアキレス腱のある足首部迄に当接せしめてアジャスタ−部の高さレベルの調整可能とし、また、（３）該緊締部材本体に設けたアジャスタ−部と連設する縦方向連結ベルトの裏面側にそれぞれ縫着した面ファスナ−による係合離脱操作により該アジャスタ−部と連設する連結ベルトの自由端を外胛被のアウトカウンタ−部に設けたベルト挿通具に挿通して折り返し、該連結ベルトの裏面側にそれぞれ縫着した面ファスナ−による係合離脱操作により、靴の外胛被と該アジャスタ−部との締緩状態を調整可能とした構成となっている。
【０００７】
従って、本発明の靴の足首部緊締部材によれば、靴の踵補強部からアキレス腱のある足首部迄の外胛に当接せしめた緊締部材本体のアジャスタ−部の高さレベルを縦方向連結ベルトによって、個々人の足の形状に応じて調整自在に装着、かつ緊締係着させることができる。
また、横方向連結ベルトによって、靴の外胛被に当接せしめて該アジャスタ−部とアキレス腱のある足首部迄の締緩状態を調整可能とし、緊締部材本体は靴の外胛被側での締縛である為、面ファスナ−の係合離脱により簡便に操作でき、足首部の締縛が阻害されず、アキレス腱の保護および損傷防止と、高いフィット性を図り得るように働く。
【０００８】
また、本発明に係る足首部緊締部材は、一枚構造で一体に、或いは必要により可撓性材料によって形成された逆Ｔ字形の形態よりなり、連設した各構成要素部分は一体的に追従変形する微調整も可能で、個人差を吸収し最適な装着状態を提供し、靴と胛被部が確実に固定連結されので、いわば日本古来の草鞋（わらじ）とは、紐（ひも）を面ファスナ−に置換している相違はあるが、左右の縁と踵部の三支点での緊締係着の機能については共通した機能を発揮するように働く。
さらに、本発明では確実にアキレスの腱のある足首部迄の装着、固定を確実にし得る簡素、単純化した足首部緊締部材を装着する構成であり、かつ別体として製造し、また必要に応じて任意に装着又は取り外しでき、操作も簡便であり、足の快適性を保持できる。また、該緊締体に種々のカラ−リングを施し、機能、用途等に応じて適宜選択するここができると共に、そのサイズも少ない規格種別で対応でき、安価に提供できるように働く。
【０００９】
【実施例】
以下、図面にもとづき本発明の実施例を具体的に説明する。
図１は本発明に係る靴の一実施例を示す要部説明斜視図、図２は本発明に係る足首部緊締部材の一実施例を示す全体説明斜視図、図３は本発明に係る足首部緊締部材を装着した靴の側面説明図である。
図１および図２、図３に示した実施例に係る足首部緊締部材を備えた靴および該足首部緊締部材について説明すると、まず、靴１は、靴底２と、靴履用者の足を保持するように靴底２に連結された胛被部３と、該胛被部３の足へのフィット状態を調整するための靴紐４とを有している。
【００１０】
本発明の足首部緊締部材を備えた靴の構成及び機能について、以下説明する。
【００１１】
図１および図２、図３に示すように、本発明に係る足首部緊締部材本体５は、アキレス腱のある足首部９迄に当接されるアジャスタ−部６を設け、該アジャスタ−部６より延設し、縦方向連結ベルト７および横方向連結ベルト８は一枚構造で連設した略逆Ｔ字形に形成されており、前記縦方向連結ベルト７および横方向連結ベルト８のそれぞれ裏面側には、ほぼ対称位置に係合離脱可能とした雄面ファスナ−１０および雌面ファスナ−１１が縫着された構成とする。
【００１２】
本発明の足首部緊締部材本体５は、靴１の踵部１８の垂直中心線１２での踵補強部２０よりアキレス腱のある足首部９迄に当接せしめ別体として着脱自在に配設した構成である。前記緊締部材本体５は、アキレス腱のある足首部９迄に当接せしめるアジャスタ−部６が設けられており、また、該本体５より延設し、ベルト挿通環１３に挿通して折り返し裏面側にそれぞれ縫着した面ファスナ−１４により連結係合する縦方向連結ベルト７、および該本体５より延設し、外胛被１６のアウトカウンタ−部１７に取り付けたベルト挿通具１４に挿通して折り返し、裏面側にそれぞれ縫着した面ファスナ−１９により連結する横方向連結ベルト８とからなる一枚構造の略逆Ｔ字形の連結帯状体とした構成とする。
【００１３】
前記縦方向連結ベルト７による足首部９迄の高さレベルの調整において、該縦方向連結ベルト７を挿通させるベルト挿通環１３を、図１および図２に示すようなル−プ状のベルト挿通環１３とすることにより、該連結ベルト７が挿通されて滑動する水平方向の少許クリアランスの存在によって、高さレベルの調整と併せて、横方向の微調整ができ、縦方向連結ベルト７の締め付け方向を少許変えることができる。
【００１４】
以下、本発明に係る足首部緊締部材を備えた靴の変形例につてみると以下のとおりである。
【００１５】
縦方向連結ベルト７による足首部９迄の高さレベルの調整において、前記ベルト挿通環１３を踵補強部２０の垂直中心線１２に沿った部位に横幅帯の両端を縫着し、該縦方向連結ベルト７を挿通する構成とし、主としてアキレス腱のある足首部９にアジャスタ−部６を位置ずれなく強固に当接せしめ、高さレベルを調整でき、使用目的に応じて選択し得る。
【００１６】
また、必要により縦方向連結ベルト７を挿通環１３に挿通せず、踵補強部２０近傍に取り付けた雄面ファスナ−と前記縦方向連結ベルト７の末端部に取り付けた雌面ファスナ−の係合連結による緊締により、アジャスタ−部６をアキレス腱のある足首部９へ当接せしめる高さレベルを調節自在とすることができる。
【００１７】
さらに、縦方向連結ベルト７を挿通環１３に挿通して折り返す構成に代えて、該緊締部材の当接高さレベルを靴装着者の足の形状やサイズに応じて、予め設定し固定させた構成とし、横方向連結ベルト８のみによる左右両サイドの緊締、或いは微調整を施すことができる。この場合、アジャスタ−部６は所望の高さレベルに設定したものに限定され、縦方向連結ベルト７の操作を省略するが、両連結ベルト７および８は１枚構造で連設しており、前記横方向連結ベルト８の緊張弛緩によりアジャスタ−部６の当接状態ならびに靴１の左右両サイドのフィッティングを調節自在とすることができる。
【００１８】
上記の足首部緊締部材本体５を備えた靴の使用法及び機能について説明する。
【００１９】
図４は、本発明における足首部緊締部材の装着状態を示す正面説明図である。履用者が、足の爪先から挿入して完全に収容して靴１を履くとき、まず、縦方向連結ベルト７を使用し、アキレス腱のある足首部９迄に当接せしめるアジャスタ−部６を個人差に応じて高さレベルの調整を行ない、所望の高さに設定し、ベルト挿通環１３を挿通させた縦方向連結ベルト７の自由端１５の裏面側に設けたアジャスタ−部６側の雄面ファスナ−１０と、先端部の雌面ファスナ−１１とを微調整しながら係合せしめて該縦方向連結ベルト７を緊締し固定する。
【００２０】
次に、横方向連結ベルト８は、その折り返しのために挿通させるベルト挿通具１４が、外胛被１６のアウトカウンタ−部１７に取り付けられており、該連結ベルト８を挿通せしめて折り返すとき、縦方向連結ベル７と同じく、緊締部材本体５のアジャスタ−部６から延設させ、必要により可撓性を有する一枚構造の構成であり、前記縦方向連結ベルト７と一体的な連結状態である為、該横方向連結ベルト８の調整は、靴１の両側を緊締する、いわば草鞋の締め付けに共通した靴履用者の足へのフイット状態を調節可能とするように機能する。
【００２１】
このように、本発明の足首部緊締部材５は、アジャスター部６とそれより延設した縦方向連結ベルト７と、横方向連結ベルト８は互いに独立した機能を有すると共に、横断方向における逆Ｔ字形の一枚構造で一体的に連設されている為、相互に追従緊締できる機能が付与されている。
前記縦方向連結ベルト７による足首部９迄の高さレベルの調整と併せ、横方向連結ベルト８による緊締状態を個人の足首部の締縛を任意に調整自在とし、靴の履用者の足に合わせた最適な装着状態を提供することができる。従って、足及びアキレス腱のある足首部９近傍を含めた高さレベル迄を締め付けサポ−トすると共に、アキレス腱の外部からの保護性、損傷防止の機能の他、靴の履用感と足の良好な保持性、安定性及び屈曲性にもすぐれ、足の動きに追従し得る。
【００２２】
なお、本発明は上記した実施例に限定されるものではなく、特定の靴、例えば運動靴に限らず、カジュアルシュ−ズや種々の靴に適用することもでき、また、本発明の要旨を逸脱しない範囲の設計変更等は本発明に含まれる。
【００２３】
【発明の効果】
本発明は上記のような構成からなり、アジャスタ−部の高さレベルを第一緊締手段によって任意に調整でき、第二緊締手段により靴の長手方向における締縛保と前後撓曲性を付与し、両緊締手段による連動した緊締状態で引張係止できるため、様々な締付けが可能で、個々人の足の形状に応じて靴の緊締位置を微調整でき、履用者に最適な装着状態を提供すると共に、アキレス腱の保護、損傷防止を確実とし、併せて履用感と足の安定性および高いフィット性を達成し得る。
また、該緊締部材の脱着及び緊締操作は簡易で、運動靴に限らずカジュアルシュ−ズや種々の靴に適用し得ると共に、使用目的等に応じて種々のカラ−リングを施し選択、交換でき、特定化して靴の機能や用途等の識別が可能である。
【図面の簡単な説明】
【図１】本発明に係る靴の一実施例を示す要部説明斜視図である。
【図２】本発明に係る足首部緊締部材の一実施例を示す全体説明斜視図である。
【図３】本発明に係る足首部緊締部材を装着した靴の側面説明図である。
【図４】本発明の足首部緊締部材の装着状態を示す正面説明図である。
【符号の説明】
１  靴
２  靴底
３  胛被部
４  靴紐
５  緊締部材本体
６  アジャスター部
７  縦方向連結ベルト
８  横方向連結ベルト
９  足首部
１０  雄面ファスナー
１１  雌面フアスナー
１２  垂直中心線
１３  ベルト挿通環
１４  ベルト挿通具
１５  自由端
１６  外胛被
１７  アウトカウンター部
１８  踵部
１９  面ファスナ−
２０  踵補強部
【図１】
0003798070.tif 000002
【図２】
0003798070.tif 000003
【図３】
0003798070.tif 000004
【図４】
0003798070.tif 000005